(57)【要約】  本発明は、規制条件を満たした端末による音声データ通信の接続および音声データ以外のデータ通信の接続の双方を規制することが可能であるとともに、音声データ通信の接続については規制の対象外とすることが可能な移動体通信システムの基地局であって、規定時間内における音声データ通信の接続要求受信回数をカウントして記憶する接続要求数カウント部１０１と、規制条件を満たした端末による音声データ以外のデータ通信の接続を規制し、かつ音声データ通信の接続を規制の対象外としている状態において、音声データ通信を終了する端末を検知し、かつ接続要求数カウント部１０１が記憶しているカウント値がしきい値を超えている場合、音声データ通信を終了する端末による音声データ通信の接続を規制対象とすることに決定するＡＣＢ省略解除決定部２０４と、を備える。
2016021287.tif 000002
【特許請求の範囲】
【請求項１】
規制条件を満たした端末による音声データ通信の接続および音声データ以外のデータ通信の接続の双方を規制することが可能であるとともに、音声データ通信の接続については前記規制条件を満たしている端末であっても規制の対象外とすることが可能な移動体通信システムの基地局であって、
規定時間内における音声データ通信の接続要求受信回数をカウントして記憶する接続要求数カウント手段と、
前記規制条件を満たした端末による音声データ以外のデータ通信の接続を規制し、かつ音声データ通信の接続を規制の対象外としている状態において、音声データ通信を終了する端末を検知し、かつ前記接続要求数カウント手段が記憶しているカウント値がしきい値を超えている場合、前記音声データ通信を終了する端末による音声データ通信の接続を規制対象とすることに決定する決定手段と、
を備えることを特徴とする基地局。
【請求項２】
前記決定手段は、前記音声データ通信を終了する端末による音声データ通信の接続を規制対象とすることに決定した場合、当該端末に対して当該決定結果を通知するとともに、音声データ通信の接続規制状態を再確認するタイミングを通知することを特徴とする請求項１に記載の基地局。
【請求項３】
受信した音声データ通信の接続要求を受け付け不可能な場合、当該接続要求の送信元の端末に対して、接続要求を再送信するまでの待機時間の短縮を指示する再送待機時間変更手段、
をさらに備えることを特徴とする請求項１または２に記載の基地局。
【請求項４】
前記再送待機時間変更手段は、前記待機時間の短縮指示を示す情報を、接続失敗を示すメッセージに挿入して前記送信元の端末へ送信することを特徴とする請求項３に記載の基地局。
【請求項５】
受信した音声データ通信の接続要求を受け付け不可能な場合、当該接続要求に対する応答メッセージを送信しないことに決定する接続要求制御手段、
をさらに備えることを特徴とする請求項１または２に記載の基地局。
【発明の詳細な説明】
【技術分野】
【０００１】
本発明は、移動体通信システムの基地局に関する。
【背景技術】
【０００２】
近年、携帯電話端末の普及、市場拡大、サービスの多様化が進んでいる。３ＧＰＰ（3rd  Generation  Partnership  Project）では、高速大容量通信の実現を目的として、第４世代移動体通信技術に向けた発展型の無線アクセス技術である、ＬＴＥ（Long-Term  Evolution）およびＬＴＥ−Ａｄｖａｎｃｅｄの標準化が行われている。【０００３】
端末の普及により、セルと呼ばれる携帯電話基地局が形成する無線エリア内に多数の端末が存在する状況が発生しやすくなってきている。このような、セル内に多数の端末が存在している状況では、セル内の端末が一斉に接続要求を行うと接続要求信号が輻輳し、接続の失敗が多発する。通信サービスの提供者であるオペレータは、接続要求信号が輻輳した場合、データ通信サービスのうち、パケット交換により音声通話を提供するサービス（ここではＭＭＴＥＬ（Multimedia  Telephony）と呼ぶ）の接続要求を成功させやすくして優先的に接続させたいと考えている。音声通話のつながりやすさはユーザの満足度に直結するためである。【０００４】
接続要求を成功させやすくする方法はすでに標準化されており、ＡＣＢ（Access  Class  Barring）と呼ばれている。ＡＣＢは、端末の接続要求信号の送信可否を、端末固有のClass値や接続要求のcauseを基に規制する方法であり、データ通信についてのみ規制をかけることが可能である。そのため、ＡＣＢでは、データ通信について規制がかけられているとき、ＭＭＴＥＬのための接続要求信号も規制対象となる。【０００５】
３ＧＰＰにおいては、ＭＭＴＥＬのための接続要求信号を制御対象としないことを許容するため、ＭＭＴＥＬについてはＡＣＢを行わないようにするための方法について規格化中である。この方法として、非特許文献１には、ＡＣＢ処理の省略、すなわち、ＭＭＴＥＬの接続要求をＡＣＢの対象外とする制御の概要について記載されている。【０００６】
特許文献１には、ＡＣＢ処理を省略する意図と同じく、端末が携帯電話基地局との接続を確立するまでの時間を短縮することを目的として、ランダムアクセス時の端末への識別子割り当てに関する技術が記載されている。
【先行技術文献】
【特許文献】
【０００７】
【特許文献１】特許第５４１２４２６号公報
【非特許文献】
【０００８】
【非特許文献１】“３ＧＰＰ  ＴＲ  ３６．８４８”（V12.0.0），2014-03
【発明の概要】
【発明が解決しようとする課題】
【０００９】
ＭＭＴＥＬをＡＣＢ処理の対象外とするＡＣＢ処理省略は、基地局が送信する報知情報により各端末に指示される。そのため、セル内の全ての端末でＭＭＴＥＬのための接続要求信号の送信可否が制御されなくなる。その結果、多数の端末でＭＭＴＥＬのための接続要求が発生する可能性があり、多数の接続要求が発生した場合にはつながりにくくなるという問題があった。【００１０】
本発明は、上記に鑑みてなされたものであって、ＡＣＢ処理省略によりＭＭＴＥＬのための接続要求を規制対象外とした場合の輻輳発生を抑制し、接続成功の可能性を高めることが可能な基地局を得ることを目的とする。
【課題を解決するための手段】
【００１１】
上述した課題を解決し、目的を達成するために、本発明は、規制条件を満たした端末による音声データ通信の接続および音声データ以外のデータ通信の接続の双方を規制することが可能であるとともに、音声データ通信の接続については前記規制条件を満たしている端末であっても規制の対象外とすることが可能な移動体通信システムの基地局であって、規定時間内における音声データ通信の接続要求受信回数をカウントして記憶する接続要求数カウント手段と、前記規制条件を満たした端末による音声データ以外のデータ通信の接続を規制し、かつ音声データ通信の接続を規制の対象外としている状態において、音声データ通信を終了する端末を検知し、かつ前記接続要求数カウント手段が記憶しているカウント値がしきい値を超えている場合、前記音声データ通信を終了する端末による音声データ通信の接続を規制対象とすることに決定する決定手段と、を備えることを特徴とする。
【発明の効果】
【００１２】
本発明によれば、音声データ通信のための接続要求を規制対象外とした場合に輻輳が発生するのを抑制し、接続が成功する可能性を高めることが可能な基地局を実現できるという効果を奏する。
【図面の簡単な説明】
【００１３】
【図１】本発明にかかる基地局を含んで構成された移動体通信システムの構成例を示す図
【図２】実施の形態１の基地局の機能構成例を示す図
【図３】接続種類記憶部が記憶している情報の構成例を示す図
【図４】実施の形態１のシステム全体の制御手順の概要を示す図
【図５】実施の形態１の基地局の動作例を示すフローチャート
【図６】実施の形態２の基地局の機能構成例を示す図
【図７】実施の形態２のシステム全体の制御手順の概要を示す図
【図８】実施の形態２の基地局の動作例を示すフローチャート
【図９】実施の形態３の基地局の機能構成例を示す図
【図１０】実施の形態３のシステム全体の制御手順の概要を示す図
【図１１】実施の形態３の基地局の動作例を示すフローチャート
【図１２】実施の形態１〜３の基地局を実現するハードウェア構成の一例を示す図
【発明を実施するための形態】
【００１４】
以下に、本発明にかかる基地局の実施の形態を図面に基づいて詳細に説明する。なお、この実施の形態によりこの発明が限定されるものではない。
【００１５】
実施の形態１．
図１は、本発明にかかる基地局を含んで構成された移動体通信システムの構成例を示す図である。移動体通信システムは、基地局１と、基地局１が形成するセル内に存在して基地局１と通信する複数の端末１１、１２、１３および１４とを含んで構成されている。移動体通信システムはＬＴＥまたはＬＴＥ−Ａｄｖａｎｃｅｄに対応しているものとして説明を行う。
【００１６】
基地局１は、各端末と無線で信号をやりとりする。また、基地局１は、図示を省略したＭＭＥ（Mobility  Management  Entity）と有線で信号をやりとりする。ＭＭＥは基地局１を収容する上位装置であり、基地局１に対して各種情報を送信する。ＭＭＥから基地局１へ送信される情報にはＡＣＢ処理省略の開始や終了を指示する情報なども含まれる。ＡＣＢ処理省略は、上述したように、ＭＭＴＥＬの接続要求メッセージをＡＣＢ処理の対象外とする制御である。なお、ＬＴＥおよびＬＴＥ−ＡｄｖａｎｃｅｄにおいてはＣｏｎｎｅｃｔｉｏｎ  Ｒｅｑｕｅｓｔが接続要求メッセージに相当する。
【００１７】
ここで、本実施の形態で想定するＡＣＢ処理について補足説明する。本実施の形態では、ＡＣＢ処理が有効な場合、基地局１から送信される報知情報を受信でき、かつ、端末固有の接続要求に関するClass値が緊急および優先を示すものでない端末については接続要求信号の送信が規制されるものとする。すなわち、端末は、ＡＣＢ処理有効を示す情報を含んだ報知情報を受信し、かつ接続要求に関する自端末のClass値が緊急および優先を示すものではない場合、接続要求信号を送信しない。
【００１８】
図２は、基地局１の機能構成例を示す図である。基地局１は、ＭＭＴＥＬのための接続要求を受けた回数を管理するＭＭＴＥＬ接続要求管理部１００と、ＡＣＢ処理省略を実施している状態において、一定の条件を満たした端末をＡＣＢ処理省略の対象から外す制御を行うＡＣＢ省略制御部２００とを備える。ＡＣＢ省略制御部２００は、例えば、ＡＣＢ処理省略を実施中であり、かつ、一定時間の間に発生したＭＭＴＥＬ接続要求の数がしきい値を超えている状態において、ＭＭＴＥＬ接続の切断を検知した場合、ＭＭＴＥＬ接続を切断した端末をＡＣＢ処理省略の対象から外すことに決定する。ＡＣＢ省略制御部２００は、ＡＣＢ処理省略の対象から外すことに決定した端末に対しては、次回以降のＭＭＴＥＬ接続要求ではＡＣＢ処理を省略しないように、すなわちＭＭＴＥＬ接続要求の送信が可能か否かをＡＣＢに従って判断するように、指示する。
【００１９】
ＭＭＴＥＬ接続要求管理部１００は、接続要求数カウント部１０１、比較部１０２および通知部１０３を備える。
【００２０】
接続要求数カウント部１０１は、ＭＭＴＥＬ接続要求を受信した回数をカウントして記憶する接続要求数カウント手段である。ＭＭＴＥＬ接続要求の受信回数のカウントは、接続を要求している端末である送信元端末を区別することなく行う。また、ＭＭＴＥＬ接続要求の受信回数のカウントでは、予め決められた一定時間を対象として、一定時間内に受信した回数をカウントする。接続要求数カウント部１０１は、例えば、過去の一定時間を対象として、この一定時間内に受信した回数をカウントして記憶する。
【００２１】
比較部１０２は、接続要求数カウント部１０１が記憶している、ＭＭＴＥＬ接続要求の受信回数をしきい値と比較する。
【００２２】
通知部１０３は、比較部１０２においてＭＭＴＥＬ接続要求の受信回数がしきい値を上回ったと判定された場合に、その旨をＡＣＢ省略制御部２００へ通知する。
【００２３】
ＡＣＢ省略制御部２００は、接続種類記憶部２０１、報知種類記憶部２０２、状況記憶部２０３およびＡＣＢ省略解除決定部２０４を備える。
【００２４】
接続種類記憶部２０１は、端末が接続に成功して通信を開始すると、接続の種類、具体的にはＭＭＴＥＬの接続か否かを判別し、接続中の端末の識別子と接続の種類を対応させて記憶する。接続種類記憶部２０１は、例えば、図３に示した構成の情報を記憶する。図３では、端末識別子１１、１２および１３の全ての端末がＭＭＴＥＬのために接続している場合の例を示している。
【００２５】
報知種類記憶部２０２は、セル内に送信する報知情報がＡＣＢ処理省略の指示を含んでいるか否かを記憶する。
【００２６】
状況記憶部２０３は、ＭＭＴＥＬ接続要求の受信回数がしきい値を上回った場合にその旨の通知をＭＭＴＥＬ接続要求管理部１００の通知部１０３から受けて通知内容を記憶する。すなわち、ＭＭＴＥＬ接続要求の受信回数がしきい値を上回っている状態か否かを記憶する。
【００２７】
ＡＣＢ省略解除決定部２０４は、接続種類記憶部２０１、報知種類記憶部２０２および状況記憶部２０３が記憶している情報に基づき、ＡＣＢ処理のスキップ、すなわちＡＣＢ処理省略を実施しないように特定の端末に対して指示する。端末に対する指示は、例えば、無線接続制御のために送受信されるＲＲＣ（Radio  Resource  Control）メッセージを利用し、ＡＣＢ処理を省略しないように指示する情報をＲＲＣメッセージに含ませて送信することにより行う。指示対象の端末は、ＡＣＢ処理の省略を実施したことに起因して輻輳が発生している状態または輻輳が発生する恐れがある状態においてＭＭＴＥＬ通信を切断する端末、すなわち、セル内に送信する報知情報がＡＣＢ処理省略の指示を含み、かつＭＭＴＥＬ接続要求の受信回数がしきい値を上回った状態において、ＭＭＴＥＬ通信を切断する端末とする。
【００２８】
なお、本実施の形態の基地局１においては、比較部１０２、接続種類記憶部２０１、報知種類記憶部２０２、状況記憶部２０３およびＡＣＢ省略解除決定部２０４が決定手段を構成する。
【００２９】
なお、図２においては、接続種類記憶部２０１、報知種類記憶部２０２および状況記憶部２０３を別々の構成として示したが、これらが記憶する情報を一つの記憶部に集約して記憶するようにしても構わない。また、ＭＭＴＥＬ接続要求管理部１００が備えている比較部１０２をＡＣＢ省略制御部２００が備える構成としても構わない。比較部１０２をＡＣＢ省略制御部２００が備える構成とした場合、ＭＭＴＥＬ接続要求管理部１００が接続要求数カウント手段を構成し、ＡＣＢ省略制御部２００が決定手段を構成する。
【００３０】
次に、ＡＣＢ処理省略を実施する場合のシステム全体の制御手順の概要について説明する。この場合の制御手順を図４に示す。
【００３１】
図４に示したように、ＡＣＢ処理省略を実施する場合、まず、基地局がＡＣＢ処理省略指示を示す情報を報知情報に含ませてセル内へ送信する（ステップＳ１）。報知情報は、システムの仕様に応じて、定期的または不定期に送信される。基地局は、最後に送信した報知情報がＡＣＢ処理省略指示を示す情報を含んでいたか否かを記憶する。この記憶は図２に示した報知種類記憶部２０２が行う。システム内の各端末は、報知情報を受信すると、ＡＣＢ処理省略の指示情報が含まれているか否かを確認し、指示情報が含まれている場合、以降のＭＭＴＥＬ接続要求送信動作でＡＣＢ処理を省略する。指示情報が含まれていない場合、以降のＭＭＴＥＬ接続要求送信動作ではＡＣＢ処理を省略しない。端末は、最後に受信した最新の報知情報に従って動作する。すなわち、端末は、最後に受信した報知情報がＡＣＢ処理省略の指示情報を含んでいた場合、ＭＭＴＥＬ接続要求送信動作でＡＣＢ処理を省略する。
【００３２】
端末は、ＭＭＴＥＬによる接続を行う場合、最後に受信した報知情報にＡＣＢ処理省略の指示情報が含まれていたか否かを確認し、指示情報が含まれていた場合はＡＣＢ処理を省略し、指示情報が含まれていない場合はＡＣＢ処理を実施した上でＭＭＴＥＬ接続要求を送信する（ステップＳ２）。このとき基地局は、ＡＣＢ処理を省略中であれば、ＭＭＴＥＬ接続要求の受信回数をカウントして記憶する。受信回数のカウントと記憶は図２に示した接続要求数カウント部１０１が行う。また、基地局は、ＭＭＴＥＬ接続要求の受信回数をしきい値と比較し、ＭＭＴＥＬ接続要求の受信回数がしきい値を上回ったことを検知すると、その旨を記憶する。受信回数としきい値の比較は図２に示した比較部１０２が行い、ＭＭＴＥＬ接続要求の受信回数がしきい値を上回ったことは図２に示した状況記憶部２０３が記憶する。
【００３３】
その後、端末は、ＭＭＴＥＬでの接続が成功する（ステップＳ３）。このとき、基地局は、ＭＭＴＥＬ接続要求を送信してきた端末が接続に成功して通信を開始したことを検知すると、ＭＭＴＥＬで接続中の端末を示す端末識別子を記憶する。端末識別子は図２に示した接続種類記憶部２０１が記憶する。
【００３４】
その後、端末は、ＭＭＴＥＬでの接続を終了する（ステップＳ４）。このとき、基地局は、ＡＣＢ処理省略を実施している状態、すなわち、最後に送信した報知情報がＡＣＢ処理省略指示を示す情報を含んでいた状態において、ＭＭＴＥＬで接続中の端末が接続を終了することを検知すると、この端末にＡＣＢ処理省略を継続させるか否かを判断する。ＡＣＢ処理省略を継続させない場合には、以降の接続要求送信においてＡＣＢ処理を省略しないよう端末に通知する。ＡＣＢ処理省略を継続させるか否かの判断と端末への通知は図２に示したＡＣＢ省略解除決定部２０４が行う。ＡＣＢ省略解除決定部２０４は、ＭＭＴＥＬ接続要求の受信回数がしきい値を上回っている状態の場合、ＡＣＢ処理省略を継続させないことに決定する。ＡＣＢ処理省略を継続させないことに決定した場合の通知は、ＡＣＢ処理を省略しないように指示する情報を含んだＲＲＣメッセージを該当端末へ送信することにより行う。
【００３５】
端末は、ＭＭＴＥＬでの接続を終了する際に、以降の接続要求送信においてＡＣＢ処理を省略しないよう指示された場合、最後に受信した報知情報の内容によらず、ＭＭＴＥＬ接続要求を送信するときにＡＣＢ処理を実施する。すなわち、最後に受信した報知情報にＡＣＢ処理省略の指示情報が含まれていた場合においても、ＭＭＴＥＬ接続要求を送信する際にＡＣＢ処理を実施する。
【００３６】
図５は、実施の形態１の基地局の動作例を示すフローチャートである。図５のフローチャートに沿って基地局の動作を説明する。
【００３７】
基地局は、システムで決められたタイミングで報知情報を生成して送信する（ステップＳ１１）。送信する報知情報には、セル内の端末に対してＡＣＢ処理省略を指示するか否かを示す情報が含まれているものとする。基地局は、報知情報を送信した場合、送信した報知情報でＡＣＢ処理省略を指示したか否かを記憶する（ステップＳ１２）。
【００３８】
また、基地局は、ＭＭＴＥＬ接続要求を受信したか否か、および、ＭＭＴＥＬ接続が終了したか否かを監視している（ステップＳ１３，Ｓ１７）。
【００３９】
基地局は、ＭＭＴＥＬ接続要求を受信した場合（ステップＳ１３：Ｙｅｓ）、接続要求数カウント部１０１がＭＭＴＥＬ接続要求の受信回数を記憶し、さらに、接続が成功して通信開始となった場合には接続種類記憶部２０１がＭＭＴＥＬ接続に成功した端末を記憶する（ステップＳ１４）。なお、接続要求数カウント部１０１が記憶するＭＭＴＥＬ接続要求の受信回数は、一定時間内にＭＭＴＥＬ接続要求を受信した回数とする。ＭＭＴＥＬ接続要求を受信しない場合（ステップＳ１３：Ｎｏ）、ＭＭＴＥＬ接続が終了したか否かを確認する（ステップＳ１７）。
【００４０】
ステップＳ１４に続いて、基地局は、ＭＭＴＥＬ接続要求の受信回数をしきい値と比較する（ステップＳ１５）。なお、図５では、ＭＭＴＥＬ接続要求の受信回数を「要求受信回数」と表現している。要求受信回数がしきい値を上回った場合（ステップＳ１５：Ｙｅｓ）、その旨を記憶する（ステップＳ１６）。ＭＭＴＥＬ接続要求の受信回数である要求受信回数としきい値の比較は比較部１０２が行い、要求受信回数がしきい値を上回ったことは状況記憶部２０３が記憶する。要求受信回数がしきい値を上回っていない場合（ステップＳ１５：Ｎｏ）、ステップＳ１７を実行する。
【００４１】
基地局は、ＭＭＴＥＬ接続の終了を検知した場合（ステップＳ１７：Ｙｅｓ）、ＭＭＴＥＬ接続を終了する端末のＡＣＢ処理省略を解除する必要があるか否かを判定する（ステップＳ１８）。この判定はＡＣＢ省略解除決定部２０４が行う。ＡＣＢ省略解除決定部２０４は、セル内の端末に対してＡＣＢ処理省略を指示済でありかつステップＳ１４で記憶したＭＭＴＥＬ接続要求の受信回数がしきい値を上回っている状態においてＭＭＴＥＬ接続の終了を検知した場合、ＡＣＢ処理省略の解除が必要と判断する。
【００４２】
基地局は、ＡＣＢ処理省略解除が必要と判断した場合（ステップＳ１８：Ｙｅｓ）、ＭＭＴＥＬ接続の切断処理において、該当端末へＡＣＢ処理省略の解除を指示する（ステップＳ１９）。ＡＣＢ処理省略の解除指示は、例えば、ＲＲＣメッセージのＣｏｎｎｅｃｔｉｏｎ  Ｒｅｌｅａｓｅを使用して行う。すなわち、ＡＣＢ処理省略を解除する場合、ＡＣＢ処理省略の解除指示を示す情報を含んだＣｏｎｎｅｃｔｉｏｎ  Ｒｅｌｅａｓｅを送信する。一方、ＡＣＢ処理省略解除が必要ではないと判断した場合（ステップＳ１８：Ｎｏ）、ＡＣＢ処理省略の解除を指示することなく通常の切断処理を実施する（ステップＳ２０）。この場合に送信されるＣｏｎｎｅｃｔｉｏｎ  ＲｅｌｅａｓｅはＡＣＢ処理省略の解除指示を示す情報を含まない。
【００４３】
基地局は、報知情報を送信するチャネルであるＢＣＣＨ（Broadcast  Control  Channel）の再受信を行うまでの期間を所定の時間に設定することを示す情報を含んだＣｏｎｎｅｃｔｉｏｎ  Ｒｅｌｅａｓｅを送信するようにしてもよい。すなわち、基地局は、ＭＭＴＥＬ接続を切断する端末に対してＡＣＢ処理省略の解除を指示する際、報知情報を再度受信するタイミングも指示するようにしてもよい。なお、「ＢＣＣＨの再受信を行うまでの期間」は、ＬＴＥおよびＬＴＥ−Ａｄｖａｎｃｅｄにおいて規定されている。端末は、ＢＣＣＨを再度受信するタイミングを基地局から指示された場合、指示されたタイミングでＢＣＣＨを受信して報知情報を取得し、取得した報知情報の内容に従い動作する。例えば、指示されたタイミングで取得した報知情報にＡＣＢ処理省略指示を示す情報が含まれている場合、以降のＭＭＴＥＬ接続要求送信動作ではＡＣＢ処理を省略する。このように、基地局が端末に対して報知情報の再取得タイミングを指示することにより、一定の期間、特定の端末を対象として、ＡＣＢ処理省略を解除させることができる。基地局は、ＢＣＣＨを再度受信するタイミングをＣｏｎｎｅｃｔｉｏｎ  Ｒｅｌｅａｓｅにて端末に指示するのではなく、Ｃｏｎｎｅｃｔｉｏｎ  Ｒｅｌｅａｓｅを送信してから所定の時間が経過した後に指示することも可能である。この場合、基地局は、例えば、Ｐａｇｉｎｇメッセージを使用して指示を行うことができる。Ｃｏｎｎｅｃｔｉｏｎ  Ｒｅｌｅａｓｅを送信してから所定の時間が経過した後にＢＣＣＨの再受信を指示する動作についてはＬＴＥおよびＬＴＥ−Ａｄｖａｎｃｅｄにおいて規定されている。
【００４４】
ＭＭＴＥＬ接続の終了を検知しない場合（ステップＳ１７：Ｎｏ）、ステップＳ１９の処理が完了した場合、およびステップＳ２０の処理が完了した場合には、ステップＳ１３に戻って処理を継続する。また、報知情報を送信する必要がある場合にはステップＳ１１およびＳ１２の処理を適宜実行する。
【００４５】
このように、本実施の形態の基地局は、端末に対してＡＣＢ処理省略を指示している状態において、ＭＭＴＥＬ接続要求の受信回数がしきい値を上回ったことを検知すると、ＭＭＴＥＬ接続を切断する端末に対し、以降のＭＭＴＥＬ接続要求でＡＣＢ処理を省略しないように指示することとした。これにより、ＡＣＢ処理省略を実施している状態において輻輳が発生するのを抑制することが可能となり、接続が成功する可能性を高めることができる。その結果、ユーザのＱｏＳ（Quality  of  Service）向上を実現できる。
【００４６】
本実施の形態ではＣｏｎｎｅｃｔｉｏｎ  Ｒｅｌｅａｓｅを使用して基地局から端末へ指示を行うこととしたが、ＭＭＴＥＬの切断シーケンスにおいて基地局から端末へ送信される他のメッセージが存在するのであれば、他のメッセージを使用して指示を行うようにしても構わない。
【００４７】
実施の形態２．
次に、実施の形態２について説明する。移動体通信システムの構成は図１に示した実施の形態１の構成と同様である。なお、実施の形態１の基地局１と区別するため、以下の説明では本実施の形態の基地局を基地局１ａと称する。
【００４８】
図６は、実施の形態２の基地局の構成例を示す図である。本実施の形態の基地局１ａは、実施の形態１の基地局１に対してタイマ値設定部３００を追加した構成としている。実施の形態１の基地局１はＭＭＴＥＬ接続を終了する際の動作に特徴を有していたが、本実施の形態の基地局１ａは、さらに、ＭＭＴＥＬ接続に失敗した場合の動作にも特徴を有し、この特徴によりＱｏＳ向上を実現する。なお、実施の形態１の基地局１と共通の部分については説明を省略する。
【００４９】
ＬＴＥおよびＬＴＥ−Ａｄｖａｎｃｅｄにおいて、端末は、基地局への接続を失敗した場合、直ちに接続要求を再送して再接続を試みることはできず、決められた時間が経過するのを待ってから接続要求を再送する必要がある。３ＧＰＰにおいては、接続要求を再送するまでの待ち時間を示すタイマ値としてＴ３０２が規定されており、タイマ値Ｔ３０２は可変である。
【００５０】
タイマ値設定部３００は、端末にＡＣＢ処理省略を指示している状態において、ある端末からのＭＭＴＥＬ接続要求を受け付けることができずに接続失敗となった場合、当該端末がＭＭＴＥＬ接続要求を再送するまでの待ち時間を示すタイマ値を、それまでよりも短い値に変更する。ただし、ＭＭＴＥＬ接続に失敗した時点のタイマ値が最小値に設定されている場合にはタイマ値を変更しない。接続要求を再送するまでの待ち時間を短くすると、接続要求の送信回数が増加するため、接続が成功する可能性を高めることができる。タイマ値設定部３００は再送待機時間変更手段を構成する。
【００５１】
次に、本実施の形態においてＡＣＢ処理省略を実施する場合のシステム全体の制御手順の概要について説明する。この場合の制御手順を図７に示す。
【００５２】
実施の形態１と同様に、まず、基地局がＡＣＢ処理省略指示を示す情報を報知情報に含ませてセル内へ送信し（ステップＳ１）、端末は、ＡＣＢ処理を省略してＭＭＴＥＬ接続要求を送信する（ステップＳ２）。これらのステップにおける基地局および端末の動作は実施の形態１と同様であるため、詳細説明は省略する。
【００５３】
本実施の形態では、ＭＭＴＥＬ接続要求を送信した端末がＭＭＴＥＬでの接続に失敗すると、次回の接続要求送信までの待機時間タイマの値を変更する（ステップＳ３３，Ｓ３４）。これらのステップＳ３３およびＳ３４における基地局の動作を説明する。基地局は、何らかの理由によりＭＭＴＥＬ接続要求を受け付けることができず、接続が失敗となる場合、次の接続要求を送信するまでの待機時間をそれまでよりも短い値に変更する。すなわち、基地局は、接続に失敗した端末に対し、変更後の待機時間を示すタイマ値を通知する。待機時間のタイマ値の通知は、例えば、ＲＲＣメッセージのＣｏｎｎｅｃｔｉｏｎ  Ｒｅｊｅｃｔにて通知する。待機時間を示すタイマ値そのものを通知するのではなく、タイマ値の変更量を通知するようにしてもよい。また、タイマ値を変更する際の変更量を予め決めておき、基地局はタイマの変更指示だけを行い、端末側で予め決められている変更量に従ってタイマ値を変更するようにしてもよい。端末は、通知された待機時間のタイマ値に従ってＭＭＴＥＬ接続要求を再送する。
【００５４】
図８は、実施の形態２の基地局の動作例を示すフローチャートである。なお、実施の形態１の基地局の動作を示した図５のステップＳ１４をステップＳ１４ａに置き換えたものである。
【００５５】
ステップＳ１４ａにおいては、基地局の接続要求数カウント部１０１がＭＭＴＥＬ接続要求の受信回数を記憶し、さらに、接続が成功して通信開始となった場合には接続種類記憶部２０１がＭＭＴＥＬ接続に成功した端末を記憶する。接続が失敗した場合、タイマ値設定部３００が、次回の接続要求送信までの待機時間を短くするよう端末に指示する。
【００５６】
このように、本実施の形態の基地局は、実施の形態１の基地局が実施していた制御に加えて、さらに、端末に対してＡＣＢ処理省略を指示している状態において、ＭＭＴＥＬ接続の失敗を検知すると、接続を失敗した端末に対し、次回の接続要求送信までの待機時間を短くするように指示する制御を実施することとした。これにより、接続要求の送信機会を増加させることができるので、接続が成功する可能性をさらに高めることができる。その結果、ユーザのＱｏＳ向上を実現できる。
【００５７】
実施の形態３．
次に、実施の形態３について説明する。移動体通信システムの構成は図１に示した実施の形態１の構成と同様である。なお、実施の形態１の基地局１と区別するため、以下の説明では本実施の形態の基地局を基地局１ｂと称する。
【００５８】
図９は、実施の形態３の基地局の構成例を示す図である。本実施の形態の基地局１ｂは、実施の形態１の基地局に対して接続要求制御部４００を追加した構成としている。実施の形態１の基地局１はＭＭＴＥＬ接続を終了する際の動作に特徴を有していたが、本実施の形態の基地局１ｂは、さらに、ＭＭＴＥＬ接続に失敗した場合の動作にも特徴を有し、この特徴によりＱｏＳ向上を実現する。なお、実施の形態１の基地局１と共通の部分については説明を省略する。
【００５９】
ＬＴＥおよびＬＴＥ−Ａｄｖａｎｃｅｄにおいて、基地局は、接続要求を受け付けることができない場合、Ｃｏｎｎｅｃｔｉｏｎ  Ｒｅｊｅｃｔを送信する。端末は、Ｃｏｎｎｅｃｔｉｏｎ  Ｒｅｊｅｃｔを受信した場合、接続に失敗したと判断し、実施の形態２でも説明したように、基地局から指定された時間が経過するのを待ってから接続要求を再送する。
【００６０】
接続要求制御部４００は、接続要求制御手段を構成し、端末にＡＣＢ処理省略を指示している状態において、ある端末からの接続要求を受け付けることができない場合、Ｃｏｎｎｅｃｔｉｏｎ  Ｒｅｊｅｃｔを送信することなく処理を終了することに決定する。
【００６１】
端末は、接続要求を送信した後、接続要求に対する応答メッセージが送られてくるのをしばらく待ち、応答メッセージが受信できない場合には、接続要求を再送する。ここで、ＬＴＥおよびＬＴＥ−Ａｄｖａｎｃｅｄでは、端末が接続要求を送信してから応答メッセージが受信できないと判断し、再送処理を実行するタイミングは、Ｃｏｎｎｅｃｔｉｏｎ  Ｒｅｊｅｃｔを受信した端末が接続要求を再送するタイミングよりも早い。
【００６２】
そのため、本実施の形態のように、ＭＭＴＥＬ接続要求を受け付けることができない場合にはＣｏｎｎｅｃｔｉｏｎ  Ｒｅｊｅｃｔを送信しないように構成することで、接続要求の送信機会が増加し、接続が成功する可能性を高めることができる。
【００６３】
次に、本実施の形態においてＡＣＢ処理省略を実施する場合のシステム全体の制御手順の概要について説明する。この場合の制御手順を図１０に示す。
【００６４】
実施の形態１と同様に、まず、基地局がＡＣＢ処理省略指示を示す情報を報知情報に含ませて送信し（ステップＳ１）、端末は、ＡＣＢ処理を省略してＭＭＴＥＬ接続要求を送信する（ステップＳ２）。これらのステップにおける基地局および端末の動作は実施の形態１と同様であるため、詳細説明は省略する。
【００６５】
本実施の形態では、ＭＭＴＥＬ接続要求を送信した端末がＭＭＴＥＬでの接続に失敗した場合、基地局は、接続失敗を示す信号を端末へ送信することなく処理を終了する（ステップＳ３３，Ｓ４４）。ステップＳ４４における基地局の動作を説明する。基地局は、何らかの理由によりＭＭＴＥＬ接続要求を受け付けることができず、接続が失敗となる場合、接続失敗を示す信号であるＣｏｎｎｅｃｔｉｏｎ  ＲｅｊｅｃｔをＭＭＴＥＬ接続要求の送信元の端末へ送信することなく処理を終了する。
【００６６】
図１１は、実施の形態３の基地局の動作例を示すフローチャートである。なお、実施の形態１の基地局の動作を示した図５のステップＳ１４をステップＳ１４ｂに置き換えたものである。
【００６７】
ステップＳ１４ｂにおいては、基地局の接続要求数カウント部１０１がＭＭＴＥＬ接続要求の受信回数を記憶し、さらに、接続が成功して通信開始となった場合には接続種類記憶部２０１がＭＭＴＥＬ接続に成功した端末を記憶する。接続が失敗した場合、接続要求制御部４００は、接続失敗を示すＣｏｎｎｅｃｔｉｏｎ  Ｒｅｊｅｃｔを送信しないことに決定する。
【００６８】
このように、本実施の形態の基地局は、実施の形態１の基地局が実施していた制御に加えて、さらに、端末に対してＡＣＢ処理省略を指示している状態において、ＭＭＴＥＬ接続要求を受け付けることができない場合、接続失敗を示すＣｏｎｎｅｃｔｉｏｎ  Ｒｅｊｅｃｔを送信することなく処理を終了し、端末からＭＭＴＥＬ接続要求が再送されてくるのを待つようにした。これにより、接続要求の送信機会を増加させることができるので、接続が成功する可能性をさらに高めることができる。その結果、ユーザのＱｏＳ向上を実現できる。
【００６９】
各実施の形態で説明した基地局１，１ａおよび１ｂを実現するハードウェア構成について説明する。図１２は、基地局１，１ａおよび１ｂを実現するハードウェア構成の一例を示す図である。基地局１，１ａおよび１ｂは、例えば、プロセッサ５０１、メモリ５０２、送信機５０３、受信機５０４およびネットワークインタフェース５０５により実現される。プロセッサ５０１は、ＣＰＵ（Central  Processing  Unit、中央処理装置、処理装置、演算装置、マイクロプロセッサ、マイクロコンピュータ、プロセッサ、ＤＳＰ（Digital  Signal  Processor）ともいう）、システムＬＳＩ（Large  Scale  Integration）などである。メモリ５０２は、ＲＡＭ（Random  Access  Memory）、ＲＯＭ（Read  Only  Memory）、フラッシュメモリー、ＥＰＲＯＭ（Erasable  Programmable  Read  Only  Memory）、ＥＥＰＲＯＭ（Electrically  Erasable  Programmable  Read-Only  Memory）等の、不揮発性または揮発性の半導体メモリや、磁気ディスク、フレキシブルディスク、光ディスク、コンパクトディスク、ミニディスク、ＤＶＤ（Digital  Versatile  Disc）等である。送信機５０３は、端末に対して無線信号を送信する際に使用し、受信機５０４は、端末からの無線信号を受信する際に使用する。ネットワークインタフェース５０５は、他の基地局、基地局管理装置などの上位装置と通信する際に使用する。
【００７０】
基地局１の接続要求カウント部１０１、比較部１０２、通知部１０３およびＡＣＢ省略解除決定部１０４は、プロセッサ５０１およびメモリ５０２に格納されているプログラムにより実現される。具体的には、例えば、接続要求カウント部１０１、比較部１０２、通知部１０３およびＡＣＢ省略解除決定部１０４として動作するためのプログラムをメモリ５０２に格納しておき、このプログラムをプロセッサ５０１がメモリ５０２から読み出して実行することにより実現される。
【００７１】
基地局１ａの接続要求カウント部１０１、比較部１０２、通知部１０３、ＡＣＢ省略解除決定部１０４およびタイマ値設定部３００は、プロセッサ５０１およびメモリ５０２に格納されているプログラムにより実現される。具体的には、例えば、接続要求カウント部１０１、比較部１０２、通知部１０３、ＡＣＢ省略解除決定部１０４およびタイマ値設定部３００として動作するためのプログラムをメモリ５０２に格納しておき、このプログラムをプロセッサ５０１がメモリ５０２から読み出して実行することにより実現される。
【００７２】
基地局１ｂの接続要求カウント部１０１、比較部１０２、通知部１０３、ＡＣＢ省略解除決定部１０４および接続要求制御部４００は、プロセッサ５０１およびメモリ５０２に格納されているプログラムにより実現される。具体的には、例えば、接続要求カウント部１０１、比較部１０２、通知部１０３、ＡＣＢ省略解除決定部１０４および接続要求制御部４００として動作するためのプログラムをメモリ５０２に格納しておき、このプログラムをプロセッサ５０１がメモリ５０２から読み出して実行することにより実現される。
【００７３】
基地局１，１ａおよび１ｂの接続種類記憶部２０１、報知種類記憶部２０２および状況記憶部２０３は、メモリ５０２により実現される。
【００７４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７５】
１，１ａ，１ｂ  基地局、１１，１２，１３，１４  端末、１００  ＭＭＴＥＬ接続要求管理部、１０１  接続要求数カウント部、１０２  比較部、１０３  通知部、２００  ＡＣＢ省略制御部、２０１  接続種類記憶部、２０２  報知種類記憶部、２０３  状況記憶部、２０４  ＡＣＢ省略解除決定部、３００  タイマ値設定部、４００  接続要求制御部、５０１  プロセッサ、５０２  メモリ、５０３  送信機、５０４  受信機、５０５  ネットワークインタフェース。
【図１】
2016021287.tif 000003
【図２】
2016021287.tif 000004
【図３】
2016021287.tif 000005
【図４】
2016021287.tif 000006
【図５】
2016021287.tif 000007
【図６】
2016021287.tif 000008
【図７】
2016021287.tif 000009
【図８】
2016021287.tif 000010
【図９】
2016021287.tif 000011
【図１０】
2016021287.tif 000012
【図１１】
2016021287.tif 000013
【図１２】
2016021287.tif 000014
【国際調査報告】
2016021287.tif 000015
2016021287.tif 000016
2016021287.tif 000017
2016021287.tif 000018